(57)【要約】【課題】ネットワークシステムに関するもので、ネットワークにつながれた電気機器を制御する場合、都度ネットワーク制御機器子機から、ネットワーク制御機器親機に電気機器の制御制御信号を入力する課題あった。【解決手段】個人認識用カード３で人感センサ２で特定した個人を認識できるようにし、個人認識用カード３が人感センサ２に認識されたとき、人感センサ２が特定した個人に応じてネットワークに繋がれた電気機器５〜８を自動的に制御できるようにしたものである。【選択図】図１
2006067417.tif 000002
【特許請求の範囲】
【請求項１】
ネットワーク制御端末機器親機と人感センサと個人認識用カードと少なくとも１つの電気機器からなり、前記個人認識用カードからの無線通信により前記個人認識用カードを所持している個人を特定し、前記人感センサから前記ネットワーク制御端末機器親機へ無線通信によりこの特定した個人の情報を送信し、前記ネットワーク制御端末機器親機は、人感センサが特定した個人に応じた制御信号を電気機器に送信し制御することを特徴とするネットワーク制御端末機器。
【請求項２】
無線通信は、小電力無線であることを特徴とする請求項１記載のネットワーク制御端末機器。
【請求項３】
無線通信は、ＢｌｕｅＴｏｏｔｈ（Ｒ）であることを特徴とする請求項１記載のネットワーク制御端末機器。
【請求項４】
人感センサからネットワーク制御端末機器親機へ無線通信は、赤外線通信であることを特徴とする請求項１記載のネットワーク制御端末機器。
【請求項５】
人感センサは複数設置され、個人認識用カードを所持している特定された個人の位置に関する情報をネットワーク制御端末機器親機に送信することで、この特定された個人の行動に適応するようにネットワーク制御端末機器親機から制御信号を各電気機器に送信して制御することを特徴とする請求項１〜４のいずれか１項記載のネットワーク制御端末機器。
【請求項６】
人感センサは無線通信の送信出力を制御することにより、個人認識用カードを所持している特定された個人が遠くにいる場合は送信出力を大きくし、個人認識用カードを所持している特定された個人が近づいてくることを認識、または個人認識用カードを所持している特定された個人が近くにいるときは送信出力を小さくし、複数の人感センサで個人認識用カードを所持している特定された個人の詳細な位置を特定することを特徴とする請求項１〜５のいずれか１項記載のネットワーク制御端末機器。
【請求項７】
人感センサは、小電力無線回路と赤外線通信回路を持ち、個人認識用カードを所持している特定された個人が遠くにいる場合は小電力無線回路を使用し、個人認識用カードを所持している特定された個人が近づいてくることを認識、また、個人認識用カードを所持している特定された個人が近くにいるときは赤外線通信回路を使用し、複数の人感センサで個人認識用カードを所持している特定された個人の詳細な位置を特定することを特徴とする請求項１、５、６のいずれか１項記載のネットワーク制御端末機器。
【請求項８】
ネットワーク制御端末機器親機は、事前に記憶された情報に基づき、人感センサからの位置情報により、現在位置が確認されている個人認識用カードを所持している特定された個人に最適な制御を電気機器について実施することを特徴とする請求項１、５、６、７のいずれか１項記載のネットワーク制御端末機器。
【請求項９】
ネットワーク制御端末機器親機は、時間情報と人感センサからの位置情報と電気機器からの情報により、前記時間情報と個人認識用カードを所持している特定された個人の位置と前記電気機器の使用制御のパターンを記憶し、個人認識用カードを所持している特定された個人の時間情報と位置情報により電気機器を制御することを特徴とする請求項１、５、６、７、８のいずれか１項記載のネットワーク制御端末機器。
【請求項１０】
ネットワーク制御端末機器親機は、電気機器の使用の有無の確認を実施すべき電気機器の制御をネットワーク制御端末機器親機が実施する前には、個人認識用カードを所持している特定された個人に対し、該当する電気機器使用の許可情報を個人認識用カードに送信し、使用の許可を得てから該当の電気機器の制御を実施することを特徴とする請求項９記載のネットワーク制御端末機器。
【発明の詳細な説明】
【技術分野】
【０００１】
本発明は電気機器および、個人認識用カードを無線で接続するネットワーク制御端末機器に関するものである。
【背景技術】
【０００２】
従来、ネットワーク制御端末機器は、小電力無線通信などを用いて電気機器のネットワークを形成し、操作者は、ネットワーク制御端末機器親機に制御情報を送信し、各電気機器等の制御を実施していた（例えば特許文献１）。
【特許文献１】特開平１０−２８２１６１号公報
【発明の開示】
【発明が解決しようとする課題】
【０００３】
しかしながら従来のネットワーク制御端末機器では、対応する電気機器に対し、使用ごとに制御信号を送信する必要があるという課題があった。
【０００４】
本発明は上記課題を解決するもので、各個人が個人認識用カードを所持し、人感センサを部屋に設置し、各個人が生活パターンとして実施している内容に応じていちいち制御信号をネットワーク制御端末機器親機に送信し電気機器を動作させるのではなく、時間情報、位置情報により、ネットワーク制御端末機器親機が記憶している内容により、制御端末機器親機から自動的に電気機器に制御信号を送信し制御できるようにすることを目的としたものである。
【課題を解決するための手段】
【０００５】
前記課題を解決するために、本発明のネットワーク制御端末機器は、ネットワーク制御端末機器親機と人感センサと個人認識用カードと少なくとも１つの電気機器からなり、個人認識用カードからの送信信号を人感センサか受信し、さらに人感センサがこの位置情報をネットワーク制御端末機器親機に送信することで、このネットワーク制御端末器親機が個人認識用カードを所持する特定された個人の位置を認識し、あらかじめ記憶されている電気機器の制御パターンとを照合し、必要な制御信号を電気機器に送信し、この電気機器を制御するものである。
【０００６】
これによって、いちいち個別に電気機器に制御信号を送信する必要なく、必要な電気機器を制御することが可能になる。
【発明の効果】
【０００７】
本発明のネットワーク制御端末機器は、個人認識用カードを所持する特定された個人の位置を認識し、あらかじめ記憶されている電気機器の制御パターンとを照合し、必要な制御信号を電気機器に送信し制御するので、いちいち個別に電気機器に制御信号を送信する必要なく、必要な電気機器を制御することが可能になる。
【発明を実施するための最良の形態】
【０００８】
第１の発明は、人感センサと個人認識用カードの通信により得られた特定された個人の位置情報と時間情報により、ネットワーク制御端末機器親機に記憶されている情報に基づき、個々の電気機器に制御信号を送信することなく、電気機器を制御できる様にしたものである。
【０００９】
第２の発明は、人感センサと個人認識用カードの通信により得られた特定された個人の位置情報と時間情報により、ネットワーク制御端末機器親機に記憶されている情報に基づき、個々の電気機器に制御信号を送信することなく、個々の電気機器を制御できる様にしたもので、特にこれらの無線通信を小電力無線で実施し、小型化で、かつ電池駆動できるようにしたものである。
【００１０】
第３の発明は、人感センサと個人認識用カードの通信により得られた特定された個人の位置情報と時間情報により、ネットワーク制御端末機器親機に記憶されている情報に基づき、個々の電気機器に制御信号を送信することなく、個々の電気機器を制御できる様にしたもので、特にこれらの無線通信をＢｌｕｅＴｏｏｔｈ（Ｒ）で実施し、ＢｌｕｅＴｏｏｔｈ（Ｒ）対応ネットワーク制御端末機器親機にも適用できるようにしたものである。
【００１１】
第４の発明は、人感センサと個人認識用カードの通信により得られた特定された個人の位置情報と時間情報により、ネットワーク制御端末機器親機に記憶されている情報に基づき、個々の電気機器に制御信号を送信することなく、個々の電気機器を制御できる様にしたもので、特にこれらの無線通信を赤外線通信で実施し、赤外線通信対応ネットワーク制御端末機器親機にも適用できるようにしたものである。
【００１２】
第５の発明は、人感センサと個人認識用カードの通信により得られた特定された個人の位置情報と時間情報により、ネットワーク制御端末機器親機に記憶されている情報に基づき、個々の電気機器に制御信号を送信することなく、個々の電気機器を制御できる様にしたもので、特に人感センサを複数設置することで、個人認識用カードを所持する個人が現在どこの部屋にあるかを検知することができるようにしたものである。また、複数の人感センサにより、特定された個人の生活パターンも検知できる様にしたものである。
【００１３】
第６の発明は、人感センサは、無線通信の送信出力を制御することにより、例えば、個人認識用カードを所持している特定された個人が遠くにいて家に近づいてくる場合は、その個人が帰宅して以降制御すると予想される電気機器を、あらかじめネットワーク制御端末機器親機から制御信号を電気機器に送信し、電気機器を制御することができる。
【００１４】
また、個人認識用カードを所持している特定された個人が家に着いた場合は、人感センサの出力をさげ、人感センサの信号が遠くに届かない様にし、個人認識用カードを所有する個人がどこにいるかを特定できる様にし、一つの人感センサで、二通りの動作をできる様にしたものである。
【００１５】
第７の発明は、人感センサは、特定された個人が遠くにいて家に近づいてくる場合は小電力無線通信を使用し、例えば、個人認識用カードを所持している特定された個人が遠くにいて家に近づいてくる場合は、その個人が帰宅して以降制御すると予想される電気機器を、あらかじめネットワーク制御端末機器親機から制御信号を電気機器に送信し、電気機器を制御することができる。
【００１６】
また、個人認識用カードを所持している特定された個人が家に着いた場合は、人感センサは赤外線通信を使用し、個人認識用カードを所有する個人がどこにいるかを特定できる様にし、一つの人感センサで、二通りの動作をできる様にしたものである。
【００１７】
第８の発明は、ネットワーク制御端末機器親機が、人感センサと個人認識用カードとの通信により得られた個人の位置情報と、あらかじめ記憶されている電気機器制御パターンにより、ネットワーク制御端末機器親機から制御信号を電気機器に送信し、電気機器を制御する様にしたものである。
【００１８】
第９の発明は、ネットワーク制御端末機器親機が、人感センサと個人認識用カードとの通信により得られた個人の位置情報と、前記電気機器の使用制御のパターンを記憶し、個人認識用カード所有者の生活パターンを記憶して、電気機器を制御する様にしたものである。
【００１９】
第１０の発明は、ネットワーク制御端末機器親機が、人感センサと個人認識用カードとの通信により得られた個人の位置情報と、各機器から送信される個人認識用カード所有者の各電気機器制御情報を記憶し、個人認識用カード所有者の生活パターンを記憶して、電気機器を制御するとき、制御するかどうかを個人認識用カード所有者に許可を得る内容の信号を送信し、個人認識用カード所有者の許可を得てから、電気機器を制御する様にしたものである。
【００２０】
以下、本発明の実施の形態について、図面を参照しながら説明する。なお、この実施の形態によって本発明が限定されるものではない。
【００２１】
（実施の形態１）
以下本発明の実施の形態１について説明する。図１はネットワークシステムのシステム構成図である。図１を使用してネットワークシステムについての概要説明を行い、その後、ネットワーク制御端末機器の説明を行う。
【００２２】
図１において１はネットワーク制御端末機器親機、２は第１の人感センサ、３は個人認識用カード、４は風呂給湯器、５はテレビ、６はビデオデッキ、７エアコン、８は照明機器、９は家屋、１０はネットワーク制御端末機器子機、１８はネットワーク制御端末機器親機の外部ネットワーク接続端子である。
【００２３】
また、図２において、第１の人感センサ２は、２１は第１の無線用アンテナ（制御端末機器親機通信用）、２２は第１の無線回路（制御端末機器親機通信用）、２３は制御回路、２４は第２の無線回路（個人認識用カード通信用）、２５は第２の無線用アンテナ２（個人認識用カード通信用）である。
【００２４】
図３において、個人認識用カード３は、３１は無線用アンテナ（人感センサ通信用）、３２は無線回路（人感センサ通信用）、３３は制御回路、３４は個人情報データ記憶回路である。
【００２５】
次に動作を説明すると、操作者は固定されていないネットワーク制御端末機器子機１０あるいは家屋内で固定されているネットワーク制御端末機器親機１を用い、風呂給湯器４、テレビ５のオンオフ等の制御、ビデオデッキ６のオンオフ、録画等の制御、エアコン７、照明機器８のオンオフ制御を行う。
【００２６】
また、家庭外部のネットワークとの通信は、ネットワーク制御端末機器親機１の場合、外部ネットワークの接続線を外部ネットワーク接続端子１８に接続して行う。
【００２７】
また、第１の人感センサ２と個人認識用カード３との通信は、第１の人感センサにおいては制御回路２３からの信号により第２の無線回路２４を動作させ、第２の無線用アンテナ２５から信号を出力し、個人認識用カードでは制御回路３３からの信号により、無線回路３２を動作させ、無線用アンテナ３１から信号を出力し実施する。なお、このとき個人認識用カード３からは、個人情報データ記憶装置３４に記憶された内容が第１の人感センサ２に向け送信される。
【００２８】
その後、第１の人感センサ２においては、制御回路２３からの制御信号により、第１の無線回路２２が制御され、第１の無線用アンテナ２１から個人認識用カードから得られた信号等がネットワーク制御端末機器親機１に向け送信される。そして、ネットワーク制御端末機器親機１は、人感センサと個人認識用カードの通信により得られた特定された個人の位置情報と時間情報により、ネットワーク制御端末機器親機１に記憶されている情報に基づき、個々の電気機器に制御信号を送信することなく、電気機器を制御できる様にしたものである。
【００２９】
また、これらの構成により、電気機器等を無線回路で制御を行うので、無線アダプタが取付けられている電気機器であれば、外部ネットワークを通じて制御可能である。
【００３０】
また、個人認識用カードを所有している人が人感センサ２の範囲に入れば、人感センサ２からネットワーク制御端末機器親機１に情報が伝わり、ネットワーク制御端末機器子機１０を操作することなく、あらかじめ決めておいた電気機器に対し、あらかじめ決めておいた制御を実施することができる。
【００３１】
なお、第１の人感センサ２はネットワーク制御端末機器親機１に内蔵されてもよい。
【００３２】
以上のように、人感センサと個人認識用カードの通信により得られた特定された個人の位置情報と時間情報により、ネットワーク制御端末機器親機に記憶されている情報に基づき、個々の電気機器に制御信号を送信することなく、電気機器を制御できる。
【００３３】
（実施の形態２）
以下本発明の実施の形態２について説明する。図４は本発明の実施の形態２における人感センサであり，図５は個人認識用カードの図である。
【００３４】
図４および図５において、前記説明と同様の構成要素については同一番号を付しているので説明は省略する。図４において、２６は４２９ＭＨｚ帯の特定小電力無線テレメータ・テレコントロール用の周波数帯を使用している小電力無線回路（個人認識用カード通信用）であり、２７は４２９ＭＨｚ帯用小電力無線用アンテナ（個人認識用カード通信用）である。図５において、３５は４２９ＭＨｚ帯用小電力無線用アンテナ（人感センサ通信用）であり、３６は４２９ＭＨｚ帯の特定小電力無線テレメータ・テレコントロール用の周波数帯を使用している小電力無線回路（人感センサ通信用）である。
【００３５】
次に構成及び作用について説明すると、第１の人感センサ２については、制御回路２３からの制御信号により４２９ＭＨｚ帯の特定小電力無線テレメータ・テレコントロール用の周波数帯を使用している小電力無線回路無線回路２６を制御し、４２９ＭＨｚ帯用小電力無線用アンテナ２７から信号が送信される。また、個人認識用カード３においては、制御回路３３の制御信号により４２９ＭＨｚ帯の特定小電力無線テレメータ・テレコントロール用の周波数帯を使用している小電力無線回路３６を制御し、４２９ＭＨｚ帯用小電力無線用アンテナ３５から信号を送信する。
【００３６】
これにより、人感センサ２と個人認識用カード３とは電波伝搬特性のよい小電力無線での通信が可能になる。
【００３７】
以上のように、人感センサと個人認識用カードの通信により得られた特定された個人の位置情報と時間情報により、ネットワーク制御端末機器親機に記憶されている情報に基づき、個々の電気機器に制御信号を送信することなく、個々の電気機器を制御できる様にしたもので、特にこれらの無線通信を小電力無線で実施し、小型化で、かつ電池駆動できる。
【００３８】
（実施の形態３）
以下本発明の実施の形態３について説明する。  図６は本発明の実施の形態３における人感センサの図であり，図７は個人認識用カードの図である。
【００３９】
図６および図７において、前記説明と同様の構成要素については同一番号を付しているので説明は省略する。
【００４０】
図６において、２８はＢｌｕｅＴｏｏｔｈ（Ｒ）無線回路（個人認識用カード通信用）であり、２７はＢｌｕｅＴｏｏｔｈ（Ｒ）無線用アンテナ（個人認識用カード通信用）である。図７において、３７はＢｌｕｅＴｏｏｔｈ（Ｒ）無線用アンテナ（人感センサ通信用）であり、３６はＢｌｕｅＴｏｏｔｈ（Ｒ）無線回路（人感センサ通信用）である。
【００４１】
次に構成及び作用について説明すると、第１の人感センサ２については、制御回路２３からの制御信号によりＢｌｕｅＴｏｏｔｈ（Ｒ）無線回路無線回路２８を制御し、ＢｌｕｅＴｏｏｔｈ（Ｒ）無線用アンテナ２９から信号が送信される。また、個人認識用カード３においては、制御回路３３の制御信号によりＢｌｕｅＴｏｏｔｈ（Ｒ）無線回路３８を制御し、ＢｌｕｅＴｏｏｔｈ（Ｒ）無線用アンテナ３８から信号を送信する。
【００４２】
以上のように、人感センサと個人認識用カードの通信により得られた特定された個人の位置情報と時間情報により、ネットワーク制御端末機器親機に記憶されている情報に基づき、個々の電気機器に制御信号を送信することなく、個々の電気機器を制御できる様にしたもので、特にこれらの無線通信をＢｌｕｅＴｏｏｔｈ（Ｒ）で実施し、ＢｌｕｅＴｏｏｔｈ（Ｒ）対応ネットワーク制御端末機器親機にも適用できる。これにより、人感センサ２と個人認識用カード３とは廉価なＢｌｕｅＴｏｏｔｈ（Ｒ）無線での通信が可能になる。
【００４３】
（実施の形態４）
以下本発明の実施の形態４について説明する。図８は本発明の実施の形態４における人感センサの図であり、図９は個人認識用カードの図である。
【００４４】
図８および図９において、前記説明と同様の構成要素については同一番号を付しているので説明は省略する。
【００４５】
図８において、３０は赤外線通信回路（個人認識用カード通信用）であり、３０１は赤外線用アンテナ（個人認識用カード通信用）である。図９において、３９は赤外線通信用アンテナ（人感センサ通信用）であり、４０は赤外線通信回路（人感センサ通信用）である。
【００４６】
次に構成及び作用について説明すると、第１の人感センサ２については、制御回路２３からの制御信号により赤外線通信回路３０を制御し、赤外線通信用アンテナ３１から信号が送信される。また、個人認識用カード３においては、制御回路３３の制御信号により赤外線通信回路４０を制御し、赤外線通信用アンテナ３９から信号を送信する。
【００４７】
以上のように、人感センサと個人認識用カードの通信により得られた特定された個人の位置情報と時間情報により、ネットワーク制御端末機器親機に記憶されている情報に基づき、個々の電気機器に制御信号を送信することなく、個々の電気機器を制御できる様にしたもので、特にこれらの無線通信を赤外線通信で実施し、赤外線通信対応ネットワーク制御端末機器親機にも適用できる。これにより、人感センサ２と個人認識用カード３とは廉価な赤外線での通信が可能になる。
【００４８】
（実施の形態５）
図１０は本発明の実施の形態５におけるネットワーク制御システムの構成図である。
【００４９】
図１０において、前記実施の形態と同様の構成要素については同一の番号を付しているので説明を省略する。図１０において、１０１は第２の人感センサ、１０２は第３の人感センサ、１０３は第４の人感センサ、１０４は第５の人感センサである。
【００５０】
個人認識用カード３を所持している人が、第２の人感センサ１０１のある部屋に入った場合、個人認識カード３からの信号を第２の人感センサ１０１が検知し、この検知信号がネットワーク制御端末機器親機１の送信される。そして、あらかじめネットワーク制御端末機器親機１に登録しておいた内容で、風呂給湯器４を制御する信号がネットワーク制御端末機器親機１から、風呂給湯器４に送信され風呂給湯器４が動作を開始する。
【００５１】
また、個人認識用カード３を所持している人が、第３の人感センサ１０２のある部屋に入った場合、個人認識カード３からの信号を第３の人感センサ１０２が検知し、この検知信号がネットワーク制御端末機器親機１の送信される。そして、あらかじめネットワーク制御端末機器親機１に登録しておいた内容で、テレビ５、あるいはビデオデッキ６を制御する信号がネットワーク制御端末機器親機１から、テレビ５、あるいはビデオデッキ６に送信されテレビ５、あるいはビデオデッキ６が動作を開始する。
【００５２】
つぎに、個人認識用カード３を所持している人が、第４の人感センサ１０３のある部屋に入った場合、個人認識カード３からの信号を第４の人感センサ１０３が検知し、この検知信号がネットワーク制御端末機器親機１の送信される。そして、あらかじめネットワーク制御端末機器親機１に登録しておいた内容で、エアコン７を制御する信号がネットワーク制御端末機器親機１から、エアコン７に送信されエアコン７が動作を開始する。
【００５３】
さらに、個人認識用カード３を所持している人が、第５の人感センサ１０４のある部屋に入った場合、個人認識カード３からの信号を第５の人感センサ１０４が検知し、この検知信号がネットワーク制御端末機器親機１の送信される。そして、あらかじめネットワーク制御端末機器親機１に登録しておいた内容で、照明器具８を制御する信号がネットワーク制御端末機器親機１から、照明器具８に送信され照明器具８が動作を開始する。
【００５４】
このように、個人認識用カード３を所有している人がある人感センサの範囲に入れば、人感センサからネットワーク制御端末機器親機１に情報が伝わり、ネットワーク制御端末機器子機１０を操作することなく、あらかじめ決めておいた電気機器に対し、あらかじめ決めておいた制御を実施することができる。特に、各部屋ごとに、各場所ごとに人感センサを取付けておけば、複数の部屋にある複数の電気機器を制御することが可能になる。
【００５５】
これらより、家族が複数同じ家に住んでいる場合、同じ部屋にいても使用する電気機器が異なる場合にも対応することが可能であるし、同一機器であっても使用内容が異なる場合にも対応する。
【００５６】
たとえば、ビデオデッキで、父親がプロ野球を録画して、子供が音楽番組を録画し、母親がドラマを録画していても、個人認識用カードで現在部屋にいる人が誰であるかを認識できるので、ビデオデッキのある部屋に父親が入ってくると自動的にテレビ５とビデオデッキ６のスイッチが入り、録画されているプロ野球が自動的に再生され、子供が入ってくると音楽番組が自動再生され、母親が入ってくるとドラマが自動再生されるということ等が可能になる。
【００５７】
以上のように、人感センサと個人認識用カードの通信により得られた特定された個人の位置情報と時間情報により、ネットワーク制御端末機器親機に記憶されている情報に基づき、個々の電気機器に制御信号を送信することなく、個々の電気機器を制御できる様にしたもので、特に人感センサを複数設置することで、個人認識用カードを所持する個人が現在どこの部屋にあるかを検知することができるようにしたものである。また、複数の人感センサにより、特定された個人の生活パターンも検知できる。
【００５８】
（実施の形態６）
図１１は本発明の実施の形態６における第１の人感センサ２の構成図である。
【００５９】
図１１において、前記実施の形態と同様の構成要素については同一の番号を付しているので説明を省略する。図１１において、４１は第２の無線回路２４（個人認識用カード通信用）の送信出力制御回路である。
【００６０】
人感センサ２を広範囲が認識できるモードに設定すると、人感センサ２は無線通信の送信出力を出力規定値まで上げ送信し、広範囲で検知を可能にする。また、人感センサ２を狭範囲を認識できるモードに設定すると、人感センサ２は無線通信の送信出力を一定値まで出力規定値まで下げ送信し、狭範囲で検知を可能にする。
【００６１】
たとえば、家に住人が不在の場合、人感センサ２を広範囲が認識できるモードに設定し、たとえば１００ｍ電波が届くようにした場合、個人認識用カードを所持する住人が人感センサ２を設置した家に近づき半径１００ｍの範囲に入ったとき、この個人認識カード３の個人情報が人感センサ２からネットワーク制御端末機器親機１に送信され、この信号により、人感センサ２を狭範囲が認識できるモードに変更し、かつ他の人感センサを動作モードにし、他の電気機器をスタンバイ状態にする等のことが可能になる。
【００６２】
また、個人認識用カードを所持している特定された個人が家に着いた場合は、人感センサの出力をさげ、人感センサの信号が遠くに届かない様にし、個人認識用カードを所有する個人がどこにいるかを特定できる様にし、一つの人感センサで、二通りの動作をできる。
【００６３】
（実施の形態７）
図１２は本発明の実施の形態７における第１の人感センサ２の構成図である。
【００６４】
図１２において、前記実施の形態と同様の構成要素については同一の番号を付しているので説明を省略する。図１２において、４２は小電力無線回路２６（個人認識用カード通信用）と赤外線通信回路３０（個人認識用カード通信用）どちらかあるいは両方の回路を選択できる無線回路制御機能付制御回路である。
【００６５】
第１の人感センサ２を広範囲が認識できる小電力無線回路２６を動作状態にするモードに設定すると、第１の人感センサ２は広範囲で検知が可能になる。また、第１の人感センサ２を狭範囲を認識できる赤外線通信回路３０を動作状態にするモードに設定すると、人感センサ２は狭範囲で検知が可能になる。
【００６６】
たとえば、家に住人が不在の場合、人感センサ２を広範囲が認識できる小電力無線回路２６を動作状態にするモードに設定し、たとえば１００ｍ電波が届くようにした場合、個人認識用カードを所持する住人が人感センサ２を設置した家に近づき半径１００ｍの範囲に入ったとき、この個人認識カード３の個人情報が人感センサ２からネットワーク制御端末機器親機１に送信され、この信号により、人感センサ２を狭範囲を認識できる赤外線通信回路３０を動作状態にするモードに変更し、かつ他の人感センサを動作モードにし、他の電気機器をスタンバイ状態にする等のことが可能になる。
【００６７】
また、個人認識用カードを所持している特定された個人が家に着いた場合は、人感センサは赤外線通信を使用し、個人認識用カードを所有する個人がどこにいるかを特定できる様にし、一つの人感センサで、二通りの動作をできる。
【００６８】
（実施の形態８）
図１３は本発明の実施の形態８におけるネットワーク制御端末機器親機１の構成図である。
【００６９】
図１３において、前記実施の形態と同様の構成要素については同一の番号を付しているので説明を省略する。図１３において、４３は無線回路、４４は無線用アンテナ、４５は制御装置、４６はデータ記憶装置、４７はデータ入力部、４８はデータ表示部、４９は外部ネットワーク接続端子ある。
【００７０】
個人認識用カード３を所持している人が、第１の人感センサ２のある部屋に入った場合、個人認識カード３からの信号を第１の人感センサ２が検知し、この検知信号がネットワーク制御端末機器親機１の送信される。そして、この信号が無線用アンテナ４４を通り無線回路４３で受信され、あらかじめデータ記憶装置４６に記憶されていたデータに基づいた制御信号を無線回路４３により無線用アンテナ４４から送信される。つまり、たとえば、風呂給湯器４の部屋に入らなくともあらかじめ風呂給湯器４を制御するように記憶しておけば、風呂給湯器４を制御する信号がネットワーク制御端末機器親機１から、風呂給湯器４に送信され風呂給湯器４が動作を開始する。
【００７１】
つづいて、テレビ５およびビデオデッキ６のある部屋に入らなくとも、あらかじめネットワーク制御端末機器親機１に記憶させた内容で、テレビ５あるいはビデオデッキ６を制御する信号がネットワーク制御端末機器親機１から、テレビ５あるいはビデオデッキ６に送信されテレビ５あるいはビデオデッキ６が動作を開始する。
【００７２】
つづいて、エアコン７のある部屋に入らなくとも、あらかじめネットワーク制御端末機器親機１に記憶しておいた内容で、エアコン７を制御する信号がネットワーク制御端末機器親機１から、エアコン７に送信されエアコン７が動作を開始する。
【００７３】
以上のように第１の人感センサ２に個人認識カード３をもつ特定の人が検知された場合、この第１の人感センサ２の検知信号がネットワーク制御端末機器親機１に送信され複数の部屋にある、複数の電気機器を同時にあるいは続けて制御することができる。
【００７４】
（実施の形態９）
図１４は本発明の実施の形態９におけるネットワーク制御端末機器親機１の構成図である。
【００７５】
図１４において、前記実施の形態と同様の構成要素については同一の番号を付しているので説明を省略する。図１４において、５０はクロック（カレンダー機能付き）である。
【００７６】
個人認識用カード３を所持している人が、たとえば第２の人感センサ１０１のある部屋に入って、風呂給湯器４を操作した場合、人感センサ１０１が検知した個人認識用カードの認識データと、風呂給湯器４を操作した内容のデータがネットワーク制御端末機器親機１の送信される。そして、これら２つのデータとクロック（カレンダー機能付き）５０のデータがネットワーク制御端末機器親機１のデータ記憶装置４６に記録される。
【００７７】
また、個人認識用カード３を所持している人が、第３の人感センサ１０２のある部屋に入って、テレビ５あるいはビデオデッキ６を操作した場合、人感センサ１０２が検知した個人認識用カードの認識データと、テレビ５あるいはビデオデッキ６を操作した内容のデータがネットワーク制御端末機器親機１の送信される。そして、これら２つのデータとクロック（カレンダー機能付き）５０のデータがネットワーク制御端末機器親機１のデータ記憶装置４６に記録される。
【００７８】
つぎに、個人認識用カード３を所持している人が、第４の人感センサ１０３のある部屋に入って、エアコン７を操作した場合、人感センサ１０３が検知した個人認識用カードの認識データと、エアコン７を操作した内容のデータがネットワーク制御端末機器親機１の送信される。そして、これら２つのデータとクロック（カレンダー機能付き）５０のデータがネットワーク制御端末機器親機１のデータ記憶装置４６に記録される。
【００７９】
さらに、個人認識用カード３を所持している人が、第５の人感センサ１０４のある部屋に入って、照明器具８を操作した場合、人感センサ１０４が検知した個人認識用カードの認識データと、照明器具８を操作した内容のデータがネットワーク制御端末機器親機１の送信される。そして、これら２つのデータとクロック（カレンダー機能付き）５０のデータがネットワーク制御端末機器親機１のデータ記憶装置４６に記録される。
【００８０】
このようにして、個人認識用カード３に記憶されているデータと各人感センサのデータとクロック（カレンダー機能付き）５０のデータを記憶することにより、個人の生活パターンを記憶し、個人認識用カードを所持している人が人感センサが捉えた場合、過去のデータより個人認識用カードを持った人の行動を予想して、各電気機器を制御信号をネットワーク制御端末機器親機１から送信し、各電気機器を制御することができる。
【００８１】
以上のように、ネットワーク制御端末機器親機が、人感センサと個人認識用カードとの通信により得られた個人の位置情報と、前記電気機器の使用制御のパターンを記憶し、個人認識用カード所有者の生活パターンを記憶して、電気機器を制御するので利便性が向上する。
【００８２】
（実施の形態１０）
図１５は本発明の実施の形態１０における個人認識用カード３の構成図である。
【００８３】
図１５において、前記実施の形態と同様の構成要素については同一の番号を付しているので説明を省略する。図１５において、５１はデータ表示部、５２はデータ入力部、５３はスピーカー、５４はマイクである。
【００８４】
実施の形態９に示しているように、個人認識用カード３に記憶されているデータと各人感センサのデータとクロックのデータを記憶することにより、個人の生活パターンを記憶し、個人認識用カードを所持している人が人感センサが捉えた場合、過去のデータより個人認識用カードを持った人の行動を予想して、各電気機器を制御信号をネットワーク制御端末機器親機１から送信し、各電気機器を制御するが、このとき、該当する電気機器の制御が不要である場合もある。
【００８５】
そこで、該当する電気機器を動作させるか否かについてを、個人認識用カード３のデータ表示部５１に表示して、動作するしないをデータ入力部５２に入力して該当する電気機器の動作させるか否かを制御することができる。あるいは、個人認識用カード３のスピーカー５３内容を音声で流し、これについての応答をマイク５４から入力することで該当する電気機器の動作させるか否かを制御することもできる。
【００８６】
以上のように、ネットワーク制御端末機器親機が、人感センサと個人認識用カードとの通信により得られた個人の位置情報と、各機器から送信される個人認識用カード所有者の各電気機器制御情報を記憶し、個人認識用カード所有者の生活パターンを記憶して、電気機器を制御するとき、制御するかどうかを個人認識用カード所有者に許可を得る内容の信号を送信し、個人認識用カード所有者の許可を得てから電気機器を制御することで、必要な制御を確認し、余計な制御を行わないようにすることができる。
【産業上の利用可能性】
【００８７】
本発明は家庭内のネットワークシステムに限らず、工場やオフィス、公共施設などにおいても利用でき有効である。
【図面の簡単な説明】
【００８８】
【図１】本発明の実施の形態１におけるネットワークシステムのシステム構成図
【図２】本発明の実施の形態１における第１の人感センサの構成図
【図３】本発明の実施の形態１における個人認識用カードの構成図
【図４】本発明の実施の形態２における第１の人感センサの構成図
【図５】本発明の実施の形態２における個人認識用カードの構成図
【図６】本発明の実施の形態３における第１の人感センサの構成図
【図７】本発明の実施の形態３における個人認識用カードの構成図
【図８】本発明の実施の形態４における第１の人感センサの構成図
【図９】本発明の実施の形態４における個人認識用カードの構成図
【図１０】本発明の実施の形態５におけるネットワークシステムのシステム構成図
【図１１】本発明の実施の形態６における第１の人感センサの構成図
【図１２】本発明の実施の形態７における第１の人感センサの構成図
【図１３】本発明の実施の形態８におけるネットワーク制御端末機器親機の構成図
【図１４】本発明の実施の形態９におけるネットワーク制御端末機器親機の構成図
【図１５】本発明の実施の形態１０における個人認識用カードの構成図
【符号の説明】
【００８９】
１  ネットワーク制御端末機器親機
２  第１の人感センサ
３  個人認識用カード
４  風呂給湯器（電気機器）
５  テレビ（電気機器）
７  エアコン（電気機器）
８  照明機器（電気機器）
９  家屋
１０  ネットワーク制御端末機器子機
１８  外部ネットワーク通信端子
２１  第１の無線用アンテナ（制御端末機器親機通信用）
２２  第１の無線回路（制御端末機器親機通信用）
２３  制御回路
２４  第２の無線回路（個人認証用カード通信用）
２５  第２の無線用アンテナ（個人認証用カード通信用）
２６  小電力無線回路（個人認証用カード通信用）
２７  小電力無線用アンテナ（個人認証用カード通信用）
２８  ＢｌｕｅＴｏｏｔｈ（Ｒ）無線回路（個人認証用カード通信用）
２９  ＢｌｕｅＴｏｏｔｈ（Ｒ）無線用アンテナ（個人認証用カード通信用）
３０  赤外線通信回路（個人認証用カード通信用）
３１  無線用アンテナ（人感センサ通信用）
３２  無線回路（人感センサ通信用）
３３  制御回路
３４  個人情報データ記憶装置
３５  小電力無線用アンテナ（人感センサ通信用）
３６  小電力無線回路（人感センサ通信用）
３７  ＢｌｕｅＴｏｏｔｈ（Ｒ）無線用アンテナ（人感センサ通信用）
３８  ＢｌｕｅＴｏｏｔｈ（Ｒ）無線回路（人感センサ通信用）
３９  赤外線用アンテナ（人感センサ通信用）
４０  赤外線通信回路（人感センサ通信用）
４１  第２の無線回路（個人認証用カード通信用）送信出力制御端子
４２  無線回路制御機能付制御回路
４３  無線回路
４４  無線用アンテナ
４５  制御回路
４６  データ記憶装置
４７  データ入力部
４８  データ表示部
４９  外部ネットワーク接続端子
５０  クロック
５１  データ表示部
５２  データ入力部
５３  スピーカー
５４  マイク
１０１  第２の人感センサ
１０２  第３の人感センサ
１０３  第４の人感センサ
１０４  第５の人感センサ
３０１  赤外線用アンテナ（個人認証用カード通信用）
【図１】
2006067417.tif 000003
【図２】
2006067417.tif 000004
【図３】
2006067417.tif 000005
【図４】
2006067417.tif 000006
【図５】
2006067417.tif 000007
【図６】
2006067417.tif 000008
【図７】
2006067417.tif 000009
【図８】
2006067417.tif 000010
【図９】
2006067417.tif 000011
【図１０】
2006067417.tif 000012
【図１１】
2006067417.tif 000013
【図１２】
2006067417.tif 000014
【図１３】
2006067417.tif 000015
【図１４】
2006067417.tif 000016
【図１５】
2006067417.tif 000017